(57)【要約】  本発明は魚類、甲殻類、貝類または水中植物などのような水中生物が順調に棲息することができるようにする濾過機能を有する水槽に関するもので、水槽の内部空間を上層の棲息区域と下層の濾過区域とに水平に区画する多孔の水平区画板と、水平区画板の所定部分に装着され、濾過フィルターを具備して、棲息区域の水を吸入及び濾過して濾過区域に吐出させる濾過装置とを含んで構成される濾過機能を有する水槽に関するものである。また、本発明は濾過装置として汚染物質が濾過された水が水平区画板の多孔を通じて水平区画板の上部面に積層された砂または機能性物質などのような底材の下部から上部に移動可能にして、底材の粒子の間に濃縮された汚染物質を棲息区域の水として浮上させ、浮上された汚染物質を含む水を再び濾過装置に吸入させて濾過されることができるようにする効果を奏することができる。
2015506683.tif 000002
【特許請求の範囲】
【請求項１】
所定形態を有する水槽（１００）の内部空間を上層の棲息区域（１０）と下層の濾過区域（１１）とに水平に区画し、上部面に底材（１２）が積層される多孔の水平区画板（３０）と；前記水平区画板（３０）の所定部分に装着され、濾過フィルター（４３）を具備して棲息区域（１０）の水を吸入及び濾過して濾過区域（１１）に吐出させる濾過装置（４０）と；を含んで構成され、
前記水平区画板（３０）は多孔を具備し、水槽（１００）の下部面と水平方向を有する板状の水平板（３１）と；所定の高さを有し、前記水平板（３１）の下部外周縁の所定部分に具備される複数の支持体（３２）と；互いに隣接した一方の支持体（３２）と他方の支持体（３２）との間に側部両端がそれぞれ締結される側板（３３）と；を含んで構成され、
前記水平板（３１）、支持体（３２）及び側板（３３）を含んで構成される水平区画板（３０−１）の複数が水平方向に締結されるように構成されることを特徴とする濾過機能を有する水槽。
【請求項２】
前記支持体（３２）は、互いに隣接した一対の支持体（３２）の間の相互対向面に高さ方向に所定深さを有する支持溝（３２−１ａ）をそれぞれ具備し、前記側板（３３）は側部の両端に前記支持溝（３２−１ａ）にそれぞれ対応して締結される支持突起（３３−１ａ）を具備し、側板（３３）の側部両端の支持突起（３３−１ａ）は支持体（３２）の支持溝（３２−１ａ）にスライディング締結されるように構成されることを特徴とする請求項１に記載の濾過機能を有する水槽。
【請求項３】
前記支持体（３２）は、側板（３３）の側部両端がそれぞれ位置される所定部分に一つ以上の台形、円形または楕円形の支持溝（３２−１ｂ）を具備し、
前記側板（３３）は側板（３３）の側部両端に前記支持溝（３２−１ｂ）にそれぞれ対応して締結される一つ以上の支持突起（３３−１ｂ）を具備し、
側板（３３）の側部両端の支持突起（３３−１ｂ）は支持体（３２）の支持溝（３２−１ｂ）に嵌められて締結されるように構成されることを特徴とする請求項１に記載の濾過機能を有する水槽。
【請求項４】
前記濾過装置（４０）は、
水平区画板（３０）の所定部分に外周面の所定部分が装着され、上部には棲息区域（１０）の水を吸入する吸入口（４１−１）を具備し、下部には濾過区域（１１）に濾過された水を供給する吐出口（４１−２）を具備する中空のケース（４１）と；
前記ケース（４１）の吸入口（４１−１）側に対応する中空に内入されて、吸入された水を濾過する濾過フィルター（４３）と；
所定大きさの複数の通気管路を有し、前記濾過フィルター（４３）の下部面と上部面が相接されて濾過された水を貫通させる遮断網（４４）と；
前記遮断網（４４）の下部面の方向の所定部分に位置され、ポンプ吸入管（４５−１）を具備して遮断網（４４）を通過した水を吸入し、ポンプ吐出管（４５−２）を具備して水をケース（４１）の吐出口（４１−２）で吐出させるポンプ（４５）と；を含んで構成されることを特徴とする請求項１に記載の濾過機能を有する水槽。
【請求項５】
前記水槽（１００）は、
何れか一つの側面に水槽（１００）より低い水位面を有する補助水槽（１０１）をさらに含んで構成され、水槽（１００）の水位面に対応する所定部分に水流移動口（６０）が具備されて水槽（１００）の水が補助水槽（１０１）に流入されるように構成され、側面下部の所定位置には補助水槽（１０１）から再び水が供給され、水槽（１００）の濾過区域（１１）に連結される回収口６１を具備するように構成され、
補助水槽（１０１）は、所定形態を有する補助水槽（１０１）の内部空間を上層の棲息区域（１０’）と下層の濾過区域（１１’）とに水平に区画する多孔の水平区画板（３０’）と；
前記水平区画板（３０’）の所定部分に装着され、濾過フィルターを具備して棲息区域（１０’）の水を吸入及び濾過して濾過区域（１１’）に吐出させる濾過装置（４０’）と；を含んで構成され、
補助水槽（１０１）の濾過装置（４０’）で吐出される水は補助水槽（１０１）の濾過区域（１１’）を通過して回収口（６１）に連結された供給管（６２）を通じて補助水槽（１０１）の濾過区域（１１’）及び水槽（１００）の濾過区域（１１）に供給されるように構成されることを特徴とする請求項１に記載の濾過機能を有する水槽。
【請求項６】
前記水槽（１００）は濾過装置（４０）を含まないように構成されることを特徴とする請求項５に記載の濾過機能を有する水槽。
【発明の詳細な説明】
【技術分野】
【０００１】
本発明は魚類、甲殻類、貝類または水中植物などのような水中生物が順調に棲息することができるようにする濾過機能を有する水槽に関するもので、水槽の内部空間を上層の棲息区域と下層の濾過区域とに水平に区画する多孔の水平区画板と、水平区画板の所定部分に装着され、濾過フィルターを備えて、棲息区域の水を吸入及び濾過して濾過区域に吐出させる濾過装置とを含んで構成される濾過機能を有する水槽に関するものである。
【背景技術】
【０００２】
一般に、家庭や事務室、学校または病院などのような公共施設の内部を環境に優しいインテリアにするために、多種類の魚を飼う魚鉢や水槽などを設置する。
【０００３】
しかし、人為的な空間で育つ魚は制限された空間で棲息するため、飼料の残物や魚の排泄物などの汚染物質によって、頻繁に掃除をしなかったり、管理が疎かになると斃死する問題が発生する。
【０００４】
したがって、人為的な浄水装備であるフィルター（濾過器）、酸素供給機などを設置して汚染物質を取り除いて、魚が生存することができる有益な生態環境を造成することが必須である。
【０００５】
ところが、一般的な浄水用濾過方式は、大体水槽の側面、上端または底面にフィルターを設置するか、外部に別途の外部濾過器を設置する。
【０００６】
しかし、上記のような濾過方式は、水槽全体の水を循環させることが困難であり、特に底面の砂に濃縮される汚染物を効果的に除去することが困難であるという問題が発生して、排泄物が砂の中に沈澱されて腐敗されたり、酸素供給器の気泡に浮び上がって水槽の水を混濁にしたりする。これによって、毒性物質を分解する微生物の活性化に制限的である。
【０００７】
また、濾過装置が棲息区域に設置されるため、見掛けの問題や濾過フィルターを取り替えたり掃除する度に濾過器を取り出して再設置しなければならないという問題が発生して非常に煩雑である。これを解決するための持続的な研究開発が要求される。
【発明の概要】
【発明が解決しようとする課題】
【０００８】
本発明は濾過機能を有する水槽の従来技術による問題点を改善するために案出された技術で、従来の濾過機能を有する水槽は、単純に底材の上部に位置された水のみを吸入して濾過装置を通過させる方法で水槽の水を濾過しているため、底材の上層または底材の粒子の間に汚染物質が累積される問題が発生し、底材の下部に所定の水吸入口を形成して、底材の粒子の間に飼料の残物または魚の排泄物などのような汚染物質を吸着させて、汚染物質が多量吸着された底材を洗浄するように構成され、底材の洗浄周期が短いため、水槽の管理が容易でない問題が発生して、これに対する解決方案を提供することを主な目的とする。
【課題を解決するための手段】
【０００９】
本発明は上記のような目的を達するために、所定形態を有する水槽の内部空間を上層の棲息区域と下層の濾過区域とに水平に区画し、上部面に底材が積層される多孔の水平区画板と；上記水平区画板の所定部分に装着され、濾過フィルターを具備して棲息区域の水を吸入及び濾過して濾過区域に吐出させる濾過装置と；を含んで構成される濾過機能を有する水槽を提示する。
【発明の効果】
【００１０】
上記のように提示された本発明による濾過機能を有する水槽は、濾過装置として汚染物質が濾過された水が水平区画板の多孔を通じて水平区画板の上部面に積層された砂または機能性物質などのような底材（以下、「底材」と言う）の下部から上部に移動可能にして、底材の粒子の間に濃縮された汚染物質を棲息区域の水に浮上させ、浮上された汚染物質を含む水を再び濾過装置に吸入させて、濾過されることができるようにする効果を奏することができる。
【図面の簡単な説明】
【００１１】
【図１】本発明の好ましい実施例による濾過機能を有する水槽を示す斜視図である。
【図２】本発明の好ましい実施例による濾過機能を有する水槽の水平区画板と濾過装置を示す斜視図である。
【図３】本発明の好ましい実施例による濾過機能を有する水槽の濾過装置を示す断面斜視図である。
【図４】本発明の好ましい実施例による濾過機能を有する水槽の濾過装置を示す分離斜視図である。
【図５】（ａ）は本発明の好ましい実施例による濾過機能を有する水槽の水平区画板を示す分離斜視図であり、（ｂ）は本発明の好ましい実施例による濾過機能を有する水槽の水平区画板を示す分離斜視図である。
【図６】本発明の好ましい実施例による濾過機能を有する水槽の水平区画板の組み立て過程を示す分離斜視図である。
【図７】本発明の好ましい実施例による濾過機能を有する水槽の水平区画板の組み立て過程を示す他の分離斜視図である。
【図８】本発明の好ましい実施例による濾過機能を有する水槽の水平区画板の組み立て過程を示すまた他の分離斜視図である。
【図９】本発明の好ましい実施例による濾過機能を有する水槽を示す側面断面図である。
【図１０】本発明の好ましい実施例による濾過機能を有する水槽を示す側面断面図である。
【図１１】本発明の好ましい実施例による濾過機能を有する水槽を示す平面図である。
【図１２】本発明の好ましい実施例による濾過機能を有する水槽を示す平面図である。
【図１３】本発明の好ましい実施例による濾過機能を有する水槽が補助水槽を含む場合を示す側面断面図である。
【図１４】本発明の好ましい実施例による濾過機能を有する水槽が補助水槽を含む場合を示す側面断面図である。
【発明を実施するための形態】
【００１２】
本発明は魚類、甲殻類、貝類または水中植物などのような水中生物（以下、「魚」と称する。）が順調に棲息することができるようにする濾過機能を有する水槽に関するもので、所定形態を有する水槽１００の内部空間を上層の棲息区域１０と下層の濾過区域１１とに水平に区画し、上部面に底材１２が積層される多孔の水平区画板３０と；上記水平区画板３０の所定部分に装着され、濾過フィルター４３を具備して棲息区域１０の水を吸入及び濾過して濾過区域１１に吐出させる濾過装置４０と；を含んで構成される濾過機能を有する水槽に関するものである。
【００１３】
以下、本発明の実施例を図１〜図１４を通じて本発明を具体的に説明すれば次の通りである。
【００１４】
具体的に、上記水槽１００は所定形態を有する一般的な水槽１００で、内部空間に魚類が棲息することができる所定量の水を収容可能であり、内部面の底には砂または機能性物質などのような一般的な底材１２を積層可能であれば何れの構成でも構わない。
【００１５】
水平区画板３０は、水槽１００の内部空間を上層の棲息区域１０と下層の濾過区域１１とに水平に区画し、上部面に底材１２が積層される多孔の区画板で、図１に示すように、上部面は所定面積を有すると同時に、底材１２が貫通することができない程度の大きさを有する多孔が形成され、水平区画板３０の下部に対応する濾過区域１１に存在する濾過された水と棲息区域１０に存在する非濾過された水とを分離する構成をする。
【００１６】
また、水平区画板３０は、水槽１００の内部空間の水平面と同じ上部面の大きさを有するように構成されて、内部空間に緊密に嵌められるように構成されることもできるが、図９〜図１２に示すように、水平区画板３０の外周縁と内部空間の内周縁との間に所定間隔を有するように、内部空間の水平面よりは小さい大きさを有するように構成されることが好ましい。これは水平区画板３０の外周縁と内部空間の内周縁との間の間隔に底材１２が積層されて、底材１２によって水平区画板３０が囲まれる形態になることによって、水槽１００の外部で水平区画板３０が見えなくて、審美感を向上させることができるという効果を実現するためである。
【００１７】
これに関連して、水平区画板３０の側部面は閉められた形態に構成されて、水平区画板３０の側部面に対応する棲息区域１０と濾過区域１１を完全に分離させても構わないが、上部面のように多孔の形態に構成されて、水平区画板３０の外周縁と内部空間の内周縁との間に位置された底材１２に濾過された水を供給することができる。
【００１８】
また、本発明による水平区画板３０は、棲息区域１０と濾過区域１１とを分離すると同時に、濾過区域１１の濾過された水を棲息区域１０に供給することができるようにする構成であれば、何れの形態に構成されても構わないが、図５〜図７に示すように、多孔を具備し、水槽１００の下部面（水平面と同じ概念である）と水平方向を有する板状の水平板３１と；所定の高さを有し、上記水平板３１の下部外周縁の所定部分に具備される複数の支持体３２と；互いに隣接する一方の支持体３２と他方の支持体３２との間に側部両端がそれぞれ締結される側板３３と；を含んで構成され、上記水平板３１、支持体３２及び側板３３を含んで構成される水平区画板３０−１の複数が水平方向に締結されるように構成されることができる。
【００１９】
具体的に、上記水平板３１は水平区画板３０の上部面を形成する構成で、多孔を具備して濾過区域１１の水を棲息区域１０に移動させることができ、水槽１００の下部面と水平方向を有する板状に構成されて、底材１２を上部面に安定的に積層させることができるようにする効果を発揮する。この時、水平板３１は当業者の判断によって屈曲形態を有するように構成されて、底材１２が所定の屈曲面を形成して積層されることによって、審美感をさらに増大させることができることは自明であろう。
【００２０】
また、支持体３２は所定高さを有し、上記水平板３１の下部外周縁の所定部分に複数具備される構成で、支持体３２によって形成された水平板３１の高さで濾過区域１１の高さを形成し、水平板３１を水槽１００の内部空間の下部面に安定的に安着させることができる支持力を提供する。
【００２１】
側板３３は互いに隣接する一方の支持体３２と他方の支持体３２との間に側部両端がそれぞれ締結されて、水平区画板３０の側壁を形成させる構成で、支持体３２による水平板３１の支持力を向上させることができるという効果を提供する。この時、側板３３に多孔が具備された場合には、濾過区域１１の水を水平区画板３０の外周縁と内部空間の内周縁との間に位置された棲息区域１０の底材１２の方に移動させることができるという効果も提供する。
【００２２】
これに関連して、本発明による水平区画板３０は、上記水平板３１、支持体３２及び側板３３を含み、水槽１００の内部空間の水平面の面積と類似する大きさを有する一つの水平区画板３０で構成されても構わないが、図６〜図８に示すように、水槽１００の内部空間の水平面の面積より小さい大きさを有する水平板３１と、水平板３１に締結された支持体３２及び側板３３を含んで構成される複数の水平区画板３０−１が水平方向（放射形）に複数締結されて構成されることがさらに好ましい。
【００２３】
即ち、上記の構成のような複数の水平区画板３０−１は、一般的に互いに大きさの異なる水槽１００に対して、当業者の判断によって複数の水平区画板３０−１を互いに隣接させて締結することによって、水平区画板３０の大きさを自由に確保することができるという効果を提供する。
【００２４】
また、互いに隣接した水平区画板３０−１は、図６に示すように、所定の締結溝３４と締結突起３５の複数が水平区画板３０−１の上部面の外周縁に選択的に具備されて、一側の水平区画板３０−１の締結溝３４に隣接された水平区画板３０−１の締結突起３５が嵌められる方式に締結されることが好ましい。この時、締結溝３４と締結突起３５の形態は当業者の判断によって台形、円形または楕円形などと自由に選択可能である。
【００２５】
図７に示すように、互いに隣接した水平区画板３０−１の上部面の外周縁には締結溝３４のみが複数具備され、互いに隣接された複数の締結溝３４を互いに締結させることができる締結具３６を隣接された締結溝３４で形成された溝に嵌める方式で構成されても構わない。この時、締結具３６の形状は互いに隣接された一対の締結溝３４によって形成される溝に嵌められて互いに隣接した水平区画板３０−１を堅固に締結させることができるものであれば、何れの形状でも構わない。
【００２６】
これに関連して、複数の水平区画板３０−１が互いに締結されて一つの水平区画板３０で構成される場合の本発明は、水平区画板３０の中、水平区画板３０の外側に位置した水平区画板３０−１の外周面部分（底材１２と隣接される部分）に対応する水平区画板３０−１の側板３３のみを具備するように構成し、水平区画板３０の中、水平区画板３０の内側に位置した水平区画板３０−１の側板３３は備えないように構成され、一体の形態で構成される水平板３１の下部位置に対応する部分に形成される濾過区域１１内で移動される濾過された水の流れが水平区画板３０の中で水平区画板３０の内側に位置した水平区画板３０−１の側板３３によって妨害されないように構成することが好ましい。
【００２７】
また、一対の支持体３２と側板３３の両端の間との締結は支持体３２と側板３３が完全に固定されるように構成されても構わなく、図５ａ〜図５ｂに示すように分離または締結可能に構成されることが好ましい。
【００２８】
具体的に、本発明は図５ａに示すように、上記支持体３２を互いに隣接した一対の支持体３２の間の相互対向面に高さ方向に所定の深さを有する支持溝３２−１ａをそれぞれ具備するように構成し、側板３３を側板３３の側部両端に上記支持溝３２−１ａにそれぞれ対応して締結される支持突起３３−１ａを具備するように構成し、側板３３の側部両端の支持突起３３−１ａは支持体３２の支持溝３２−１ａにスライディング締結されるように構成して、支持体３２と側板３３とを分離または締結可能に構成することができる。
【００２９】
即ち、支持体３２に構成される上記支持溝３２−１ａは支持体３２の外周面で所定の深さを有し、支持体３２の末端から高さ方向に具備される構成で、所定の深さを有して側板３３の支持突起３３−１ａを支持体３２の末端（水平板３１の反対部分）に導入し、側板３３を水平板３１の方向にスライディング（押す）させて、側板３３を支持体３２に堅固に締結させることができるという効果を発揮する。この時、支持溝３２−１ａは側板３３が位置される方向が開かれた構造を有するように構成されることは自明である。
【００３０】
また、支持溝３２−１ａにスライディング締結される支持突起３３−１ａは側板３３の側部の両端に具備される構成で、支持体３２の高さ方向に支持溝３２−１ａと類似する長さで形成されて、支持溝３２−１ａに対応して締結されることができれば、何れの構成でも構わない。
【００３１】
本発明は、図５ｂに示すように、上記支持体３２を側板３３の側部両端がそれぞれ位置される所定部分に一つ以上の台形、円形または楕円形の支持溝３２−１ｂを具備するように構成し、上記側板３３を側板３３の側部両端に上記支持溝３２−１ｂにそれぞれ対応して締結される一つ以上の支持突起３３−１ｂを具備するように構成し、側板３３の側部両端の支持突起３３−１ｂを支持体３２の支持溝３２−１ｂに嵌められて締結されるように構成して、支持体３２と側板３３とを分離または締結可能に構成することができる。
【００３２】
即ち、支持体３２に構成される上記支持溝３２−１ｂは支持体３２の外側外部面に形成され、且つ側板３３の側部両端がそれぞれ位置される所定部分に具備されて、側板３３の支持突起３３−１ｂを水平方向に収容し、台形、円形または楕円形の形態を有するので、上記形態と対応する形態を有する支持突起３３−１ｂと堅固な締結状態を保持することができ、締結面が小さいので容易に分離することができるという効果を実現する。
【００３３】
また、支持突起３３−１ｂは側板３３の側部両端に一つ以上具備されて、上記支持溝３２−１ｂに水平方向に嵌められる構成で、支持溝３２−１ｂと同じ形態及び大きさに構成され、支持溝３２−１ｂに対応する位置に対応する側板３３の側部の所定位置に構成される。
【００３４】
本発明による濾過装置４０は上記水平区画板３０の所定部分に装着され、濾過フィルター４３を具備して棲息区域１０の水を吸入及び濾過して、濾過された水を濾過区域１１に吐出させる構成で、図１、２または図９に示すように、水槽１００の内部空間の下部面から所定の高さで構成され、水平区画板３０の所定部分に装着されて、水平区画板３０によって区画される上層の棲息区域１０の水を吸入して濾過フィルター４３で濾過し、濾過された水を濾過区域１１に吐出させることができる構成であれば、何れの構成でも構わない。
【００３５】
具体的に、本発明による濾過装置４０は水平区画板３０の所定部分に外周面の所定部分が装着され、上部には棲息区域１０の水を吸入する吸入口４１−１を具備し、下部には濾過区域１１に濾過された水を供給する吐出口４１−２を具備する中空のケース４１と；上記ケース４１の吸入口４１−１側に対応する中空に内入されて、吸入された水を濾過する濾過フィルター４３と；所定大きさの複数の通気管路を有し、上記濾過フィルター４３の下部面と上部面が相接されて濾過された水を貫通させる遮断網４４と；上記遮断網４４の下部面の方向の所定部分に位置され、ポンプ吸入管４５−１を具備して遮断網４４を貫通した水を吸入し、ポンプ吐出管４５−２を具備して水をケース４１の吐出口４１−２で吐出させるポンプ４５と；を含んで構成されることが好ましい。
【００３６】
即ち、上記中空のケース４１は濾過装置４０に含まれる濾過フィルター４３、遮断網４４及びポンプ４５を、水位面に対応する部分（棲息区域１０）であるケース４１の一側に具備される吸入口４１−１から水槽１００の内部空間の下部面に対応する部分（濾過区域１１）であるケース４１の他側に具備される吐出口４１−２の方向に順次に収容するための構成である。
【００３７】
この時、ケース４１は中空に濾過フィルター４３、遮断網４４及びポンプ４５を収容することができる大きさを有すれば構わないが、水平板３１の水平断面積を形成する横長と縦長と同じ横長と縦長を有するように構成し、水平区画板３０の所定部分に外周面の所定部分が装着されるケース４１が水平区画板３０と一体に締結されることができるように水平区画板３０に具備される締結溝３４または締結突起３５と対応して締結可能な締結溝３４または締結突起３５を具備することがさらに好ましい。
【００３８】
吸入口４１−１は水位面に対応する部分であるケース４１の上部に具備されて、棲息区域１０の汚染物質を含む水を吸入するための構成で、大きさが比較的小さい孔形態に構成されて、棲息区域１０の汚染物質を含む水を吸入するように構成されることもできるが、図１〜図３に示すように、ケース４１の上部末端と類似する大きさを有するように構成して、広い面積に対応する汚染物質の水を吸入するように構成することが好ましい。
【００３９】
濾過フィルター４３はケース４１の吸入口４１−１側に対応する中空の所定部分に内入されて、吸入口４１−１に吸入された汚染物質を含む水から汚染物質を濾過するための構成で、水はポンプ４５で貫通させ、汚染物質は遮断することができる程度の複数の孔を具備するものであれば、いずれのものを利用しても構わない。この時、濾過フィルター４３の大きさはケース４１の中空の直径以内の大きさを有することができ、濾過フィルター４３はケース４１の中空から吸入口４１−１の方向に分離可能で、持続的な使用によって汚染物質が多量吸着されている濾過フィルター４３をケース４１から取り出して交換または洗浄可能に構成することができることは自明である。
【００４０】
本発明は、濾過フィルター４３をケース４１に安定的に締結させたり容易に分離させるために、図４に示すように、ケース４１の上部に対応し、濾過フィルター４３の上部面に対応するケース４１の末端に中空状のカバー４２を締結させることもできる。この時、カバー４２は濾過フィルター４３の上部面の所定部分を下記の遮断網４４の方向に押してケース４１の末端に締結されるように構成されることが好ましい。
【００４１】
これに関連して、遮断網４４は、図４に示すように、所定大きさの複数の通気管路を有し、上記濾過フィルター４３の下部面と上部面が相接されて濾過された水を貫通させる構成で、使用者が濾過フィルター４３を交換または洗浄するためにケース４１から濾過フィルター４３を分離した場合、水槽１００の内部空間に棲息している魚がポンプ４５が位置したケース４１の中空内部に入ることを防止するための構成である。
【００４２】
この時、遮断網４４は魚が通過することができない程度の大きさの通気管路を有し、ケース４１の中空の所定高さ部分（ポンプ４５の上部）に装着されることができる構成であれば、何れの構成でも構わないが、図３〜図４に示すように、ケース４１の中空内周面の所定部分に具備される係止突起に係止されることができるリング状のフレームとフレームの内側に具備される遮断網とで構成されることが好ましい。
【００４３】
ポンプ４５はケース４１の中空内部且つ上記遮断網４４の下部面方向の所定部分に位置され、ポンプ吸入管４５−１を具備して遮断網４４を貫通した水を吸入し、ポンプ吐出管４５−２を具備して水をケース４１の吐出口４１−２で吐出させるための構成で、一般的な水中ポンプ４５の中で当業者の判断によって多様な容量のものを利用可能である。
【００４４】
これに関連して、ポンプ吸入管４５−１の吸入孔の末端は、図３または図１０に示すように、遮断網４４の下部面に対応するケース４１の中空の何れの部分にも位置させることができる。この時、当業者は判断によって遮断網４４の下部面の面積に対応する引入口が遮断網４４の下部面に締結され、引出口がポンプ吸入管４５−１の吸入孔の末端に締結される補助ケース４１（図示省略）を濾過装置４０がさらに含むように構成して、遮断網４４を通った水がポンプ吸入管４５−１により円滑に吸入されることができるように構成することもできる。
【００４５】
ポンプ４５のポンプ吐出管４５−２は、ポンプ４５によってポンピングされる水をケース４１の吐出口４１−２を通じてケース４１の外部に吐出するための構成で、一般的なポンプ４５のポンプ吐出管４５−２の機能を果たす。
【００４６】
即ち、本発明による濾過装置４０の吐出口４１−２を通じてケース４１の外部に吐出される濾過された水は濾過区域１１に所定の移送力で移動され、上記移送力による濾過区域１１の内部の水圧で濾過区域１１の水が水平区画板３０に形成される多孔を通じて底材１２の内部に吸着された汚染物質を棲息区域１０に浮上させながら移動する。また、底材１２から分離されて棲息区域１０に浮上された汚染物質は、図１１に示すように、水とともに濾過装置４０の吸入口４１−１に吸入されて濾過処理される。
【００４７】
本発明は、ケース４１の吐出口４１−２から吐出される濾過された水を濾過区域１１の全区域に移送し、濾過区域１１全体の水圧を一定に保持させるために、図１２に示すように、吐出口４１−２の末端に所定の延長長さと屈折を有する多孔の循環管５０を装着させることもできる。この時、循環管５０の延長長さ、屈折角及び多孔の大きさは水槽１００の形態によって自由に変形可能であり、多孔の形成方向は水平区画板３０の方向に向けることが好ましい。
【００４８】
本発明の図１３〜図１４に示すように、水槽１００が何れか一方の側面に水槽１００より低い水位面を有する補助水槽１０１をさらに含んで構成され、水槽１００の水位面に対応する所定部分に水流移動口６０が具備されて、水槽１００の水が補助水槽１０１に流入されるように構成され、側面下部の所定位置には補助水槽１０１から再び水が供給され、水槽１００の濾過区域１１と連結される回収口６１を具備するように構成され、上記補助水槽１０１は所定形態を有する補助水槽１０１の内部空間を上層の棲息区域１０’と下層の濾過区域１１’に水平に区画される多孔の水平区画板３０’と；上記水平区画板３０’の所定部分に装着され、濾過フィルターを具備して棲息区域１０’の水を吸入及び濾過して濾過区域１１’に吐出させる濾過装置４０’と；を含んで構成され、補助水槽１０１の濾過装置４０’で吐出される水は補助水槽１０１の濾過区域１１’を貫通して回収口６１と連結された供給管６２を通じて補助水槽１０１の濾過区域１１’及び水槽１００の濾過区域１１に供給されるように構成することができる。
【００４９】
補助水槽１０１は一つ以上具備されることができ、補助水槽１０１が一つ以上具備される場合には、複数の補助水槽１０１それぞれが水槽１００の何れか一つ以上の側面に直接連結されることもでき、一つの補助水槽１０１が水槽１００に連結され、他の補助水槽１０１は互いに異なる複数の補助水槽１０１と順次に連結される構成をすることもできることは自明である。
【００５０】
本発明による水槽１００が補助水槽１０１をさらに含む場合には、図１３〜図１４に示すように、一つの水槽１００に一緒に棲息することができない魚を水槽１００と補助水槽１０１に互いに分離して棲息させることができるという効果を奏することができる。
【００５１】
具体的に、上記水槽１００の水流移動口６０は、図１３に示すように、補助水槽１０１が締結される水槽１００の何れか一つの側面且つ水槽１００の水位面に対応する所定部分に具備される構成で、所定の直径を有する孔を通じて水槽１００の水を補助水槽１０１に流入させることができる構成である。この時、水流移動口６０の直径は当業者の判断によって自由に調節可能である。
【００５２】
本発明は水流移動口６０に補助水槽１０１の方向に突出される所定長さの水流移動管６０−１を具備させて、水槽１００から補助水槽１０１に流入される水が所定の落差で補助水槽１０１に落ちるようにして、瀧のような演出効果を実現することができ、所定の落差で落ちる水による補助水槽１０１の酸素供給効果も実現することができる。
【００５３】
これに関連して、水流移動管６０−１は両端の何れか一方または中空の内部に所定のメッシュを有するフィルターを具備するか、水流移動管６０−１自体に補助水槽１０１の水位面に対応する方向に多孔を具備して、水槽１００から補助水槽１０１に流動される水に含まれた汚染物質を濾過することもできる。
【００５４】
上記回収口６１は水槽１００の側面下部の所定部分に所定直径を有するように具備されて、補助水槽１０１の濾過装置４０’によって濾過された水が再び供給されて水槽１００の濾過区域１１に流動させるための構成である。
【００５５】
また、補助水槽１０１に含まれる水平区画板３０’と濾過装置４０’の構成及び作用効果は上記水槽１００の水平区画板３０と濾過装置４０と同じであるので、補助水槽１０１の水平区画板３０’と濾過装置４０’に関する具体的な説明は上記水槽１００に関する説明で取って代わる。
【００５６】
即ち、本発明による水槽１００と補助水槽１０１との間の水の循環を説明すると、補助水槽１０１の濾過装置４０’で吐出される濾過された水が補助水槽１０１の濾過装置４０’に一側が連結され、他側は水槽１００の回収口６１を貫通して濾過区域１１に延長される供給管６２を通じて水槽１００の濾過区域１１に流動される。その後、補助水槽１０１で流入された水は濾過区域１１から棲息区域１０に移動されて水槽１００の水位は上がり、水槽１００の棲息区域１０の水は水流移動口６０を通じて再び補助水槽１０１に流動される。その後、補助水槽１０１の濾過装置４０’は水槽１００に装着された濾過装置４０と同じ構成及び作用をして、補助水槽１０１の棲息区域１０の汚染物質を含む水を吸入及び濾過して濾過区域１１（供給管６２）に吐出する。
【００５７】
これに関連して、上記供給管６２は補助水槽１０１の濾過区域１１’に濾過された水を供給するために、補助水槽１０１の水平区画板３０’の方向に向ける多孔を具備し、水槽１００の濾過区域１１に対応する部分にも水槽１００の水平区画板３０の方向に向ける多孔を具備することは自明である。
【００５８】
この時、補助水槽１０１の濾過区域１１’に対応する部分に具備された多孔と水槽１００の濾過区域１１に対応する部分に具備された多孔の大きさは水槽１００の濾過区域１１までの水の移送圧力を考慮して、水槽１００の濾過区域１１に対応する部分に具備された多孔がより大きく形成されることができる。
【００５９】
本発明による補助水槽１０１の濾過装置４０’が作動しない場合には、水槽１００と補助水槽１０１は、所定の水位差による水圧差によって、水槽１００の濾過区域１１の水が供給管６２を通じて補助水槽１０１の濾過区域１１に逆流することができる問題があるため、図１４に示すように、供給管６２の所定部分に逆流防止装置６３をさらに含む構成が可能である。
【００６０】
本発明による水槽１００が補助水槽１０１をさらに含んで構成される場合には、図１４に示すように、水槽１００に構成される濾過装置４０を含まないで構成されても構わない。
【００６１】
即ち、水槽１００に補助水槽１０１がさらに含まれると、水槽１００と補助水槽１０１の水が持続的に循環可能な効果を実現して、補助水槽１０１に具備された濾過装置４０’によって水槽１００の水も濾過することができる効果を発揮するので、当業者の判断によって水槽の濾過装置４０を含む構成は自由に決めることができる。
【００６２】
以上、本発明の好ましい実施例を通じて説明したが、上述した実施例に限定されるのではなく、上述した実施例を通じて本発明が属する技術分野において通常の知識を有する者が本発明の要旨を逸脱しない範囲内で多様に変更して実施することができる。
【図１】
2015506683.tif 000003
【図２】
2015506683.tif 000004
【図３】
2015506683.tif 000005
【図４】
2015506683.tif 000006
【図５】
2015506683.tif 000007
【図６】
2015506683.tif 000008
【図７】
2015506683.tif 000009
【図８】
2015506683.tif 000010
【図９】
2015506683.tif 000011
【図１０】
2015506683.tif 000012
【図１１】
2015506683.tif 000013
【図１２】
2015506683.tif 000014
【図１３】
2015506683.tif 000015
【図１４】
2015506683.tif 000016
【国際調査報告】
2015506683.tif 000017
2015506683.tif 000018
2015506683.tif 000019
2015506683.tif 000020